(57)【要約】      （修正有）【課題】釣竿の標準状態における握り心地とは異なる握り心地に簡単に変更できるリールシートのアタッチメントとそれを備えた釣竿を提供する。【解決手段】下面にトリガー１６を有する筒状のリールシート１０を備えた釣竿のリールシート１０に下側から着脱自在に取り付けられるアタッチメント２０であって、リールシート１０の下部に係合可能な係合溝２３を上面に有し、リールシート１０への取付状態においてリールシート１０の下部を覆う本体部２１と、該本体部２１の下面から下方に向けて膨出し、リールシート１０への取付状態においてトリガー１６とは位置と形状のうち少なくとも一つが異なる膨出部２２と、トリガー１６と係合可能な係合部３０とを備えている。【選択図】図６
2019146496.tif 000002
【特許請求の範囲】
【請求項１】
下面にトリガーを有する筒状のリールシートを備えた釣竿のリールシートに下側から着脱自在に取り付けられるアタッチメントであって、
リールシートの下部に係合可能な係合溝を上面に有し、リールシートへの装着状態においてリールシートの下部を覆う本体部と、
該本体部の下面から下方に向けて膨出し、トリガーとは形状が異なる膨出部と、
トリガーと係合可能な係合部とを備えている、リールシートのアタッチメント。
【請求項２】
下面にトリガーを有する筒状のリールシートを備えた釣竿のリールシートに下側から着脱自在に取り付けられるアタッチメントであって、
リールシートの下部に係合可能な係合溝を上面に有し、リールシートへの装着状態においてリールシートの下部を覆う本体部と、
該本体部の下面から下方に向けて膨出し、リールシートへの取付状態においてトリガーとは位置が異なる膨出部と、
トリガーと係合可能な係合部とを備えている、リールシートのアタッチメント。
【請求項３】
係合溝は、膨出部の内側に向けて延びる係合凹部を有しており、該係合凹部が前記係合部である請求項１記載のリールシートのアタッチメント。
【請求項４】
本体部は、その前部に、貫通した係合孔を有しており、該係合孔が前記係合部であり、リールシートへの取付状態において、トリガーは係合孔を挿通して本体部から下方に突出し、膨出部はトリガーの後側に位置する請求項２記載のリールシートのアタッチメント。
【請求項５】
リールシートへの取付状態において、リールシートとの間の摩擦力によりリールシートに保持される請求項１乃至４の何れかに記載のリールシートのアタッチメント。
【請求項６】
請求項１乃至５の何れかに記載のアタッチメントを備えた釣竿。
【発明の詳細な説明】
【技術分野】
【０００１】
本発明は、トリガーを有するリールシートを備えた釣竿に取り付けられるアタッチメントと、そのアタッチメントを備えた釣竿に関する。
【背景技術】
【０００２】
下記特許文献１には、筒状の本体部の下面にトリガーを有するハンドル部を備えた釣竿が記載されている。このトリガーに指を引っ掛けることができるが、釣りの状況にトリガーが適していない場合がある。
【先行技術文献】
【特許文献】
【０００３】
【特許文献１】特開２００２−１９１２６８号公報
【発明の概要】
【発明が解決しようとする課題】
【０００４】
本発明は、釣竿の標準状態における握り心地とは異なる握り心地に簡単に変更できるリールシートのアタッチメントとそれを備えた釣竿を提供することを課題としている。
【課題を解決するための手段】
【０００５】
本発明に係るリールシートのアタッチメントは、下面にトリガーを有する筒状のリールシートを備えた釣竿のリールシートに下側から着脱自在に取り付けられるアタッチメントであって、リールシートの下部に係合可能な係合溝を上面に有し、リールシートへの取付状態においてリールシートの下部を覆う本体部と、該本体部の下面から下方に向けて膨出し、リールシートへの取付状態においてトリガーとは形状が異なる膨出部と、トリガーと係合可能な係合部とを備えている。尚、竿先側を前側とし、竿尻側を後側とする。
【０００６】
また、本発明に係るリールシートのアタッチメントは、下面にトリガーを有する筒状のリールシートを備えた釣竿のリールシートに下側から着脱自在に取り付けられるアタッチメントであって、リールシートの下部に係合可能な係合溝を上面に有し、リールシートへの装着状態においてリールシートの下部を覆う本体部と、該本体部の下面から下方に向けて膨出し、リールシートへの取付状態においてトリガーとは位置が異なる膨出部と、トリガーと係合可能な係合部とを備えている。
【０００７】
このようなアタッチメントを釣竿のリールシートに取り付けることができる。釣り人は、リールシートと共にアタッチメントを把持することができる。本体部の上面の係合溝がリールシートの下部と係合し、本体部はリールシートの下部を下側から覆う。膨出部はトリガーとは形状が異なっている。そのため、アタッチメントを取り付けない状態でリールシートを把持したときと、アタッチメントを取り付けた状態でリールシートを把持したときとでは、握り具合が異なる。そのため、釣りの状況や釣り人の好み、リールの種類等のような条件に応じて、アタッチメントを取り付けて使用したり取り付けずに標準の状態で使用したりすることができる。リールシートにアタッチメントを取り付けたときに膨出部の位置がトリガーとは異なる場合も同様であり、アタッチメントの有無によって握り具合が異なる。
【０００８】
特に、係合溝は、膨出部の内側に向けて延びる係合凹部を有しており、該係合凹部が前記係合部であることが好ましい。該構成のアタッチメントをリールシートに取り付けると、リールシートのトリガーとアタッチメントの係合凹部とが係合する。そのため、トリガーによって、アタッチメントの前後方向の移動が規制されると共に釣竿の中心線回りのアタッチメントの回転が規制される。従って、アタッチメントの取付状態が安定する。
【０００９】
また、本体部は、その前部に、貫通した係合孔を有しており、該係合孔が前記係合部であり、リールシートへの取付状態において、トリガーは係合孔を挿通して本体部から下方に突出し、膨出部はトリガーの後側に位置することが好ましい。該構成のアタッチメントをリールシートに取り付けると、リールシートのトリガーがアタッチメントの係合孔を挿通して下方に突出し、係合孔とトリガーとが互いに係合する。そのため、トリガーによって、アタッチメントの前後方向の移動が規制されると共に釣竿の中心線回りのアタッチメントの回転が規制される。従って、アタッチメントの取付状態が安定する。トリガーがアタッチメントの係合孔から下方に突出するので、トリガーに指を引っ掛けることができる。また、トリガーの後側に位置する膨出部に指を引っ掛けたり、膨出部を把持したりすることもできる。
【００１０】
また、リールシートへの取付状態において、リールシートとの間の摩擦力によりリールシートに保持されることが好ましい。摩擦力の大きさはアタッチメントがその自重によって自然に落下しない程度であればよい。該構成によれば、釣り人がアタッチメントから手を離しても、アタッチメントがリールシートから下方に落下せずその取付状態が維持される。
【００１１】
また、本発明に係る釣竿は、アタッチメントを備えたものである。
【発明の効果】
【００１２】
以上のように、アタッチメントを釣竿に取り付けたり、取り外したりすることで、異なる二つの握り心地が得られる。
【図面の簡単な説明】
【００１３】
【図１】本発明の一実施形態におけるアタッチメントが取り付けられるリールシートのリールシート本体を示し、（ａ）は平面図、（ｂ）は正面図。
【図２】同リールシート本体の断面図。
【図３】（ａ）及び（ｂ）は本発明の第一の実施形態におけるアタッチメントの斜視図。
【図４】（ａ）は同アタッチメントの平面図、（ｂ）は同アタッチメントの断面図。
【図５】同アタッチメントをリールシート本体に取り付けた状態を示し、（ａ）は平面図、（ｂ）は正面図。
【図６】同アタッチメントをリールシート本体に取り付けた状態を示す断面図。
【図７】本発明の第二の実施形態におけるアタッチメントを示し、（ａ）は斜視図、（ｂ）は平面図。
【図８】同アタッチメントをリールシート本体に取り付けた状態を示し、（ａ）は平面図、（ｂ）は正面図。
【図９】同アタッチメントをリールシート本体に取り付けた状態を示す断面図。
【発明を実施するための形態】
【００１４】
以下、本発明の一実施形態に係るアタッチメントについて説明するが、まず、そのアタッチメントが取り付けられる対象となるリールシートについて説明する。尚、アタッチメントがリールシートに取り付けられた状態を、以下、単に取付状態という。図１及び図２にリールシートのリールシート本体１０を示している。図１及び図２にはリールシートのリールシート本体１０のみを示している。尚、図１及び図２に示すリールシート本体１０を備えたリールシートは一例であって、リールシートは種々のものであってよい。
【００１５】
リールシートは筒状である。リールシートは、釣竿の竿本体１００（ブランク）の外側に取り付けられる。リールシートは、図１及び図２に示しているリールシート本体１０と、図示しないナット及び可動フードとを備えている。リールシートは、図示しない両軸リールを釣竿に取り付けるためのものである。通常の使用状態において、両軸リールは釣竿の上側に位置する。リールシート本体１０の中心線は竿本体１００の中心線と一致する。リールシート本体１０の中心線の方向を前後方向と称する。前側は竿先側であり、後側は竿尻側である。図２に前側を矢印Ｘ１で示し、後側を矢印Ｘ２で示している。また、後述するリール脚載置部１３を上側とし、それとは反対側を下側とする。図２に上側を矢印Ｙ１で示し、下側を矢印Ｙ２で示している。
【００１６】
リールシート本体１０は筒状である。竿本体１００はリールシート本体１０の内側を挿通する。リールシート本体１０は、竿本体１００が挿通する竿挿通孔１１を有している。竿挿通孔１１は、リールシート本体１０の全長に亘って形成されていて、前後に開口している。竿挿通孔１１の後部には前側の部分よりも一段大径の大径部１２が形成されている。図２のように、リールシート本体１０から後側に延びる竿本体１００の外周面には、竿本体１００とは別部材からなるグリップ体１１０が装着されることがある。竿挿通孔１１の中心線がリールシート本体１０の中心線である。リールシート本体１０は、竿本体１００の所定位置に取り付けられる。竿本体１００はリールシート本体１０の竿挿通孔１１を前後方向に貫通する。リールシート本体１０は竿本体１００の外周面に直接接着固定されたり、竿本体１００の外周面との間に筒状のスペーサ（図示省略）を介して接着固定されたりする。
【００１７】
リールシート本体１０は、リール脚載置部１３と、固定フード部１４と、雄ネジ部１５と、トリガー１６とを備えている。リール脚載置部１３は、図示しない両軸リールのリール脚を載置するための部分であって、リールシート本体１０の上面に形成されている。リールシート本体１０の上面であってリール脚載置部１３の後側の位置に固定フード部１４が形成されている。固定フード部１４は、リール脚の後端部を保持するための部分であって、固定フード部１４には、リール脚の後端部が前側から挿入される。
【００１８】
リールシート本体１０の前部外周面に雄ネジ部１５が形成されている。雄ネジ部１５に、図示しないナットが螺合する。ナットの後側に図示しない可動フードが位置し、可動フードはリールシート本体１０に対して前後方向に移動可能であるが回転不能である。可動フードは筒状であって、その全周のうちの上部に部分的に径方向外側に膨出したフード部が形成されている。可動フードのフード部は、リール脚の前端部を保持する部分であって、そのフード部にリール脚の前端部が相対的に後側から挿入される。ナットの後端部は可動フードの前端部に相対回転可能に係止されていて、ナットが回転しながら前後に移動すると、それに合わせて可動フードは前後に移動するものの回転はしない。ナットを後側に移動させることで可動フードを固定フード部１４に接近させることができて可動フードと固定フード部１４でリール脚を前後に狭持して固定する。逆に、ナットを前側に移動させると、可動フードは固定フード部１４から前側に離れていき、両軸リールを釣竿から取り外すことができる。
【００１９】
リールシート本体１０の下面の後部にトリガー１６が形成されている。リールシート本体１０は合成樹脂から射出成形により形成されている。トリガー１６は、リールシート本体１０に一体的に形成されている。トリガー１６はその前側に指を引っ掛けるためのものである。トリガー１６には、例えば人差し指や中指が引っ掛けられる。トリガー１６の位置は種々であってよいが、本実施形態では固定フード部１４の下側に対応した位置である。トリガー１６は、リールシート本体１０の下面から下方に向けて突出しており、詳細には、トリガー１６は、リールシート本体１０の下面から斜め前方に向けて突出している。
【００２０】
次に、このようなリールシート本体１０の下部に取り付けられる第一の実施形態のアタッチメント２０について説明する。図３及び図４に第一の実施形態におけるアタッチメント２０を示している。このアタッチメント２０は図１及び図２に示したリールシート本体１０に取り付けられる。
【００２１】
アタッチメント２０は、本体部２１と膨出部２２とを備えている。本体部２１は、アタッチメント２０の主要部である。本体部２１は全体として下半割形状である。本体部２１は、取付状態においてリールシート本体１０の全周のうち下側略半分の領域を覆う。本体部２１は、リールシート本体１０の全長のうちナットと可動フードが装着された部分を除いた範囲の全体の下部を覆う。本体部２１の上面には係合溝２３が形成されている。係合溝２３は、アタッチメント２０の全長に亘って延びている。取付状態において係合溝２３の平面視における中心線は、リールシート本体１０の中心線と平面視において略一致する。係合溝２３は、上方、前方、及び後方の三方に開口しており、本体部２１は、上方開口部２４、前方開口部２５及び後方開口部２６を有している。係合溝２３は取付状態においてリールシート本体１０の下部と係合する。そのため、係合溝２３の左右両壁面３２及び底面の形状はリールシート本体１０の下部の外面の形状と対応している。
【００２２】
係合溝２３の底面の後部には下側に向けて係合凹部３０が形成されている。該係合凹部３０は膨出部２２の上側に対応した位置に形成されている。係合凹部３０は全体として膨出部２２の先端側に向けて延びている。係合凹部３０は膨出部２２の内部に位置している。係合凹部３０はリールシートのトリガー１６と係合する係合部である。係合凹部３０の形状はトリガー１６に対応しており、取付状態において係合凹部３０にトリガー１６の全体が入り込む。このように係合溝２３の左右両壁面３２と底面は、リールシート本体１０の外面の下部と略一致した形状である。取付状態において係合凹部３０の最下部３０Ａにトリガー１６の先端部１６Ａが位置する。
【００２３】
膨出部２２は、本体部２１の下面から下方に膨出している。膨出部２２の前後方向の寸法（厚さ）は基端部から先端部２２Ｃにかけて徐々に小さくなっている。膨出部２２の前面２２Ａは後側に向けて下降していく傾斜面となっている。水平面に対する膨出部２２の前面２２Ａの傾斜角度は、後側に向けて徐々に大きくなっている。膨出部２２の前面２２Ａは前後方向に沿って上側凸に湾曲した湾曲面となっている。膨出部２２はトリガー１６よりも大きい。膨出部２２の基端部における前後方向の寸法は、トリガー１６の基端部における前後方向の寸法よりも大きい。膨出部２２の先端部２２Ｃは係合凹部３０の最下部３０Ａよりも下側に位置している。膨出部２２の内部に係合凹部３０が形成されることにより、膨出部２２における偏肉の程度が緩和される。
【００２４】
アタッチメント２０は種々の材質から形成できる。材質は特には合成樹脂が好ましいが、金属製であってもよい。アタッチメント２０は合成樹脂から射出成形により形成することが好ましい。アタッチメント２０は弾性変形しやすい軟質のものであってよい。本体部２１の上方開口部２４の幅が本体部２１の弾性によって拡縮変形すると、リールシート本体１０への取付、取り外しが容易である。アタッチメント２０をリールシート本体１０に取り付ける際には、係合溝２３の左右両壁面３２が外側に向けて互いに離れるように弾性変形する。係合溝２３の左右両壁面３２が弾性変形すると、上方開口部２４の幅が自動的に広がり、取り付けが容易である。また、取付状態では上方開口部２４の幅が縮小すると、取付状態が安定する。即ち、係合溝２３の左右両壁面３２がその弾性復元力によってリールシート本体１０の下部を左右に狭持すると、アタッチメント２０がリールシート本体１０に高い保持力で保持される。
【００２５】
アタッチメント２０を軟質の合成樹脂から形成すると、リールシート本体１０との間の摩擦力も大きくなり、取付状態が安定する。アタッチメント２０が摩擦力のみでリールシート本体１０に保持される場合、係合溝２３の左右両壁面３２が拡縮変形してもよいし、拡縮変形しなくてもよい。摩擦力はアタッチメント２０とリールシート本体１０との接触面の全体で発生する。特に、係合凹部３０がトリガー１６に対して若干小さく形成されていて、トリガー１６が係合凹部３０を広げつつ係合凹部３０に係合していく場合においては、トリガー１６が係合凹部３０に係合した状態においてトリガー１６が係合凹部３０の壁面と密着する。そのため、トリガー１６と係合凹部３０との間で大きな摩擦力が得られ、トリガー１６が係合凹部３０に保持されることになる。その場合には例えば係合溝２３の壁面３２や底面とリールシート本体１０との間に隙間が生じていても、アタッチメント２０がその自重によって自然落下することなくリールシート本体１０に保持される。但し、摩擦力が小さく、取付状態においてアタッチメント２０から手を離すとアタッチメント２０がその自重によってリールシート本体１０から落下してもよい。その場合であっても、アタッチメント２０と共にリールシートを把持することにより、アタッチメント２０のリールシート本体１０からの分離を防止できる。
【００２６】
取付状態を図５及び図６に示している。図５において、アタッチメント２０の表面には多数のドットを付して示している。取付状態においてアタッチメント２０の後端部の前後方向の位置はリールシート本体１０の後端部の前後方向の位置と略一致する。アタッチメント２０の係合溝２３の底面と左右の壁面３２の形状がリールシート本体１０の底面から左右の側面にかけての形状と略一致している。そのため、取付状態でアタッチメント２０の係合溝２３の底面と左右の壁面３２にリールシート本体１０の下部の表面が密着する。
【００２７】
また、取付状態においてトリガー１６はアタッチメント２０の係合凹部３０に係合し、トリガー１６はアタッチメント２０によって覆い隠される。アタッチメント２０が不透明である場合、トリガー１６は外部から見えなくなる。トリガー１６は膨出部２２の内部に入り込んでいる。従って、トリガー１６は膨出部２２により覆われている。アタッチメント２０がリールシート本体１０よりも軟質の材質から形成されている場合、膨出部２２の内部に硬質のトリガー１６が位置することで、トリガー１６は、膨出部２２の芯材となり、膨出部２２を補強する。トリガー１６が係合凹部３０に係合することで、リールシート本体１０に対するアタッチメント２０の前後方向の移動とリールシート本体１０の中心線回りの周方向の移動が規制される。アタッチメント２０の落下は、釣り人がアタッチメント２０を把持することで防止できる。上述のようにアタッチメント２０とリールシート本体１０との間の摩擦力が大きい場合には、その摩擦力によってアタッチメント２０の自然落下を防止できる。
【００２８】
取付状態のリールシートを把持すると、アタッチメント２０を取り付けていない状態とは異なる握り心地となり、異なる使用感が得られる。取付状態ではトリガー１６に代えて膨出部２２がリールシートの下方に突出することになる。その膨出部２２の前面２２Ａに指をかけたり、膨出部２２の前面２２Ａを複数の指で把持したりできる。膨出部２２は、トリガー１６とは異なる形状であるため、トリガー１６とは異なる感触になる。そして、アタッチメント２０は着脱が容易であるため、釣り人の好みや釣りの状況の変化に応じて適宜アタッチメント２０を着脱して釣りを行うことができる。
【００２９】
尚、本実施形態では、取付状態において膨出部２２がトリガー１６の全体を覆っているが、係合凹部３０が膨出部２２を貫通して取付状態においてトリガー１６の先端部１６Ａが膨出部２２の表面から外部に露出してもよい。
【００３０】
次に、図１〜図３に示すリールシート本体１０に取り付けることができる第二の実施形態のアタッチメント２０について説明する。図７に第二の実施形態におけるアタッチメント２０を示しており、図８及び図９には取付状態を示している。図８及び図９において、アタッチメント２０の表面には多数のドットを付して示している。本実施形態のアタッチメント２０の膨出部２２は、取付状態においてトリガー１６とは異なる位置に位置する。アタッチメント２０の本体部２１は、本体主部４０と後方延在部４１とからなる。取付状態において、本体主部４０はリールシート本体１０の後端部よりも前側に位置し、後方延在部４１はリールシート本体１０の後端部よりも後側に突出する。係合溝２３は本体部２１の全長に亘って形成されていて、係合溝２３は、前側に位置する溝主部４２と、該溝主部４２の後側に延設された溝延長部４３とからなる。溝主部４２はリールシート本体１０の下部と係合し、溝延長部４３はグリップ体１１０の下部と係合する。
【００３１】
溝主部４２の底面の後部に、本体主部４０を上下に貫通した貫通孔である係合孔４４が形成されている。係合孔４４は、溝主部４２の底面と本体主部４０の下面に開口している。取付状態において係合孔４４にトリガー１６が係合する。トリガー１６は係合孔４４に上側から挿通し、本体主部４０を貫通して、本体主部４０の下面から下方に突出する。後方延在部４１の下面に膨出部２２が形成されている。膨出部２２は係合孔４４から後側に所定距離離間している。取付状態において膨出部２２はトリガー１６から後側に離間して位置する。図９のように本実施形態において膨出部２２は中実状であるが中空状であってもよい。
【００３２】
図８及び図９に示すように、取付状態では、前側に位置するトリガー１６と後側に位置する膨出部２２の双方を使用することができる。例えば、トリガー１６に人差し指を引っ掛けて、膨出部２２の前面２２Ａを中指から小指までの三本の指で把持することができる。アタッチメント２０の有無により、トリガー１６のみが存在する状態と、トリガー１６と膨出部２２の両方が存在する状態とを容易に切り替えることができる。尚、膨出部２２がトリガー１６から後側に離間せずにトリガー１６の直ぐ後側に位置してもよい。
【００３３】
このように本体部２１の一部がリールシート本体１０の下部を覆ってもよい。また、アタッチメント２０の係合部がトリガー１６と係合する形態も種々変更可能である。例えば、上記第二の実施形態において、膨出部２２の前側に第二の膨出部が設けられ、その第二の膨出部の内部に係合凹部が形成されて、取付状態においてトリガー１６を第二の膨出部が覆ってもよい。この場合には、第二の膨出部に人差し指を引っ掛けて後側の膨出部２２を三本の指で把持することができる。
【符号の説明】
【００３４】
１０      リールシート本体
１１      竿挿通孔
１２      大径部
１３      リール脚載置部
１４      固定フード部
１５      雄ネジ部
１６      トリガー
１６Ａ    先端部
２０      アタッチメント
２１      本体部
２２      膨出部
２２Ａ    前面
２２Ｂ    後面
２２Ｃ    先端部
２３      係合溝
２４      上方開口部
２５      前方開口部
２６      後方開口部
３０      係合凹部（係合部）
３０Ａ    最下部
３２      壁面
４０      本体主部
４１      後方延在部
４２      溝主部
４３      溝延長部
４４      係合孔（係合部）
１００      竿本体
１１０      グリップ体
【図１】
2019146496.tif 000003
【図２】
2019146496.tif 000004
【図３】
2019146496.tif 000005
【図４】
2019146496.tif 000006
【図５】
2019146496.tif 000007
【図６】
2019146496.tif 000008
【図７】
2019146496.tif 000009
【図８】
2019146496.tif 000010
【図９】
2019146496.tif 000011